(57)【要約】【課題】  外観及び操作上も優れたフラッシュライトを提供すること。【解決手段】  手に持って照らしたい所に向けて使うフラッシュライトとしては、直感的に照らしたい方向に自然に照射できる構造が理想的な形状といえる。そこで、指先が照射方向に向いた状態で、そのまま指を曲げて握れる縦方向のグリップにするとともに、ランプと反射鏡で成る光軸と同一軸上にグリップの中央を配置することで達成する。また、ランプと反射鏡の直後に電気回路部を配置し、電気結線の簡略化を達成する。【選択図】            図１(ｂ)
2009146671.tif 000002
【特許請求の範囲】
【請求項１】
軽量で容易に携帯できるフラッシュライトであって、前方に電源部、及び後端部にスイッチ部を有する本体と、前記本体の前方下部にはランプヘッド部を設け、後方下部には、前記本体に対して直交するグリップを設け、前記本体と前記ランプヘッド部及び前記グリップの大構成は、側面から見て逆Ｕ字状の形状であることを特徴とするフラッシュライト。
【請求項２】
請求項１にかかげるフラッシュライトにおいて、前記スイッチ部の位置は、前記グリップを握った手の親指が届く範囲内にあり、前記スイッチ部は、プッシュレバー押したときのみ点灯するとともに、押し下げるとプッシュレバーは保持され連続点灯できる構造を有していることを特徴とするフラッシュライト。
【請求項３】
請求項１または請求項２にかかげるフラッシュライトにおいて、前記スイッチ部を構成する前記プッシュレバーは、コの字形状で内側に左右対称に第一の突起及び第二の突起がある。一方，前記本体後部端側壁には、前記第一の突起が前後にスライドすることに対応した第一の溝と、同じく前記第二の突起が前後にスライドすることに対応するとともに、前記プッシュレバーを押し下げたときに、第一の溝の前端にある第一の突起が支点になり、第二の突起が下方へ回転することにも対応した円弧溝を有する第二の溝があり、前記第二の突起が前記第二の溝の前記円弧溝に嵌り込む構造であることを特徴とするフラッシュライト。
【請求項４】
請求項１にかかげるフラッシュライトにおいて、前記電源部は、前記本体に前方から着脱できる構造であって、電源として充電機能部を具備する充電池ユニットあるいは乾電池ユニットを選択的に使用できることを特徴とするフラッシュライト。
【請求項５】
請求項４にかかげるフラッシュライトにおいて、前記充電池ユニットあるいは前記蓄電池ユニットの一個または複数の角に面取部を形成し、本体のユニット挿入部を前記充電池ユニット及び乾電池ユニットの断面形状に合う形状としたことを特徴とするフラッシュライト。
【請求項６】
請求項１にかかげるフラッシュライトにおいて、前記充電池ユニット内に具備された充電池の残量表示ランプを前記ランプヘッド部の後方に設けたことを特徴とするフラッシュライト。
【請求項７】
請求項１にかかげるフラッシュライトにおいて、前記ランプヘッド部に、反射鏡及びフィルタを支持した筒状体を着脱自在に螺合して、前記反射鏡とランプとの相対位置を調整できることを特徴とするフラッシュライト。
【請求項８】
請求項１にかかげるフラッシュライトにおいて、前記本体の上面または側面にレール方式のマウント部を設けたことを特徴とするフラッシュライト。
【発明の詳細な説明】
【技術分野】
【０００１】
本発明は、照明機器に係わり、軽量で容易に携帯でき、様々な用途に使用できるフラッシュライトに関する。
【背景技術】
【０００２】
従来フラッシュライトは、広く一般に普及したもので、乾電池を電源としてスイッチによりランプの点灯・消灯を交互に行う単機能なものがほとんどである。また、下記特許文献４にある押しボタンを押したとき点灯し、押しボタン外側のキャップをねじ込むと連続に点灯するものなどもある。
【０００３】
それ以外のフラッシュライトの一例としては、特定の用途に特化した構造を有するものがあるが、一般的なフラッシュライトとして使用できないか、使い難くなったのもある。またその逆に、多種多様な用途に使用できるようにするため、構造が複雑になったり、重くなったりして、結果的に使い難くなっているものもある。例えば、下記特許文献１にある胴体全体を扁平の形状にし、衣服のポケット状のものに収容し易くすることを主目的としているものなどがある。
【０００４】
最近では、フラッシュライトの電源として充電池が使われるようになり、下記特許文献２にあるように、フラッシュライトの本体に乾電池と同形状の充電池を収容し、本体から取り出すことなく、フラッシュライトにそのまま装着できる充電器で充電するものがある。
また、ランプと反射鏡の相対位置を調整できる例は、下記特許文献３にあるように、点灯スイッチも兼ねた本体外周のリングを回すことで調整しているものもある。
【０００５】
【特許文献１】特開平１１−７８０４
【特許文献２】特開２００１−７６５０２
【特許文献３】特表２００２−５３８５８９
【特許文献４】特表２００５−５１７２８０
【発明の開示】
【発明が解決しようとする課題】
【０００６】
一般的なフラッシュライトは、前方から反射鏡とランプ、その後に乾電池の一連の構造となっている。手で持つには、乾電池の格納してある部分を掴むものがほとんどあるが、乾電池が大きい場合や数が多い場合等は、吊り下げて持つ取手が設けてある。これらを持って、通常の姿勢で照らす状態から、照らした先を凝視したい場合など、本能的にフラッシュライトを眼に近い位置から照射して確認しようとする。この時、持った手を反らせるような形になり手首に負担がかかる欠点があり、長時間の使用に適さないものとなっている。
【０００７】
一般的なフラッシュライトは、スイッチを押すたびに、点灯・消灯と交互に動作するが、合図などで短時間の照射を行う場合、１回の照射に、スイッチを速い動作で２回押すことになり、照射回数が多くなった場合、操作し難いという欠点がある。また、別の例で、ボタンを押したとき点灯する方式で、連続的に点灯させる場合、ボタンの外周のキャップを締め込んで行うものがあるが、本体あるいは取手を持った状態では他方の手で操作する必要があり、片手で全て操作できるようにすることは考慮されていなかった。
【０００８】
ランプを点灯させるために通常乾電池を使用しているが、充電して再利用可能な充電池を使用するには、乾電池と同形状の充電池でなくてはならないという欠点がある。また、その充電には専用の充電器が必要で、フラッシュライトとは別に準備しておく必要があるという欠点もある。さらに充電池の充電には本体から取り外さないとできないという欠点を生じる場合もある。
【０００９】
一般的なフラッシュライトには、ビーム角の調整機能を有するものはあるが本体外側のリングを回して調整する方法と緩めると点灯する機構を兼ねたものや、調整機構だけで、それを取り外し交換することは考慮されていなかった。したがって、反射鏡を換える等で行う光の量を変えることはできないという欠点がある。また、光の色は、機器前方を覆うような形状の専用フィルタを使用しているものもあるが、はめ込み式で使用中に落下するという欠点もある。
【００１０】
本発明では、外観及び操作上も優れたフラッシュライトを提供することを目的とする。
【課題を解決するための手段】
【００１１】
手に持って照らしたい所に向けて使うフラッシュライトとしては、直感的に照らしたい方向に自然に照射できる構造が理想的な形状といえる。そこで、指先が照射方向に向いた状態で、そのまま指を曲げて握れる縦方向のグリップにするとともに、ランプと反射鏡で成る光軸と同一軸上にグリップの中央を配置することで達成する。また、ランプと反射鏡の直後に電気回路部を配置し、電気結線の簡略化を達成する。
【００１２】
フラッシュライトを点灯させるスイッチ部は、本体後部のグリップの直ぐ上とし、グリップを握った手の親指で操作できる位置に配置し、スイッチ部を押したとき点灯、放せば消灯し、かつ押ながら下方へ下げると、押した状態を保持し連続点灯となるプッシュレバーにして達成する。
【００１３】
このプッシュレバーが押された状態を保持する機構は、コの字形状とし、内側に左右対称で複数の突起を設けて、それに対応して本体後部側壁に、突起が押したとき動く前後方向の複数の同じ長さ溝と、前側の左右対称一組の突起を支点としてプッシュレバーを押し下げると、後の左右対称一組の突起が嵌まり込む円弧溝を設けておき、これにプッシュレバーの第二の突起が嵌まり込むことで押されたスイッチが戻らない構造とすることで連続点灯を達成する。
【００１４】
フラッシュライトの電源部としては、主に充電池を使用し、それを本体に着脱式に装備できる形状の充電池ユニットとし、さらに充電機能部をこの充電池ユニットに内蔵させることにより達成する。
【００１５】
さらに、充電池ユニットと同形状で、乾電池を入れることができる構造の乾電池ユニットにして達成する。
【００１６】
充電池ユニット・乾電池ユニットの角には面取り部のある断面形状とし、本体のユニット挿入部の形状をそれに合わせることで、間違えると装着できない構造を達成するとともに、充電池の場合と乾電池の場合とで異なる結線には、接点の位置を変えることで達成する。
【００１７】
また、充電池の充電時期を表示する機能を本体に設け、過放電防止を達成する。
【００１８】
フラッシュライトの光の量や色を換えるために、反射鏡と前面ガラスが装着された筒状体をねじ込み式とし、反射鏡の直径が大きいものを装着した筒状体や、色フィルタ等を装着した筒状体を取り付けられるようにすることで達成する。また筒状体の反射鏡と、ランプヘッド部に固定されたランプとの相対位置をねじ込むことで変えることができる構成にすることで、ビーム角の調整を達成する。
【００１９】
グリップを手で持つ方法以外の支持方法として、既存のレール方式のものを利用して、これに固定できるように、マウント部を本体上面あるいは側面に設けることで達成する。
【発明の効果】
【００２０】
本発明のフラッシュライトは、光軸と同一軸上にグリップを握った手がくる構造で直感的に手を向けた方向に光を照射できる利点を持つとともに、高い位置から低い位置まで手首に負担を掛けずに支持できるので、長時間無理なく使用できる利点をもつ。
【００２１】
点灯させるためのスイッチ部の部材を、押したときだけ点灯し、短時間の間欠的な点灯に有効であるという利点を持つとともに、押し下げれば連続点灯とすることができる利点も持つプッシュレバーとする。さらに、これらの操作がグリップを握った手の親指で全てできる利点も持つ。
【００２２】
電源部は、充電池も乾電池も同形状の充電池ユニット及び乾電池ユニットなので、全く同様に本体に着脱して使用できる利点を持つ。また、充電池ユニットには充電機能部が内蔵されているので、本体装着時でも充電池ユニット単体でも充電できる利点を持つ。
【００２３】
充電池ユニット及び乾電池ユニットを、例えば下部左右に面取り部を設け、本体にそれに合う形状のユニット挿入部とすることで、ユニットの誤装着を防ぐ利点を持つとともに、充電池ユニットと乾電池ユニットとで電気接点位置が異なることにで、電気の誤接続を防ぐ利点も持つ。
【００２４】
充電池ユニットを装着した場合動作する残量表示機能部は、充電の時期を知らせる利点を持つとともに、過放電による充電池の破損を防ぐ利点も持つ。
【００２５】
本発明のフラッシュライトには、筒状体を、換えることで光量増加、光の色等を換えることができる利点を持つ。さらに、これら筒状体において、ねじ込んでいく内に、ビーム角を調整できる利点も持つ。
【００２６】
本発明のフラッシュライトの上面に、レール方式のマウント部を設けて、手で持てない場合や任意の位置に固定する等の方法に対応できる利点を持つ。
【発明を実施するための最良の形態】
【００２７】
本発明は、操作性の優れたフラッシュライトとするために、直感的に照射できるよう、光軸上にグリップの中央を配置するとともに、指を曲げて自然に握れる形状となる光軸に対して直交する縦方向のグリップとなることが望ましい。これら一連のランプ，反射鏡，電気回路部と握るための空間とグリップを全て本体の下部に設ける逆Ｕ字形の形状とすることで、最小の外観となることが望ましい。
【００２８】
スイッチ部は、本体の後部で、グリップを握った手の親指で操作できる位置に設けることが望ましく、さらに、指で押す部分を本体後部の左右方向の中央にし、さらに凹みを設けて押し易くすることが望ましい。これにより利き手が左右どちらでも操作することができるのである。
【００２９】
スイッチ部をプッシュレバーとし押された状態で保持させる機構は、押し下る時支点となる第一の突起と、押し下げたとき戻らないよう本体側の上下方向の円弧溝に嵌まり込む第二の突起の、少なくとも左右対称の２組４ヶ所の突起とすることが望ましい。またその突起に対応する本体側の溝は、押したとき突起が移動する前後方向の複数の同じ長さの第一の溝と第二の溝とし、第二の溝には、押し下げた時第二の突起が嵌まり込む左右一組の円弧溝とすることが望ましい。
【００３０】
フラッシュライトを点灯させる電源は、充電池で、本体に着脱可能な充電池ユニットとするとともに、充電機能部を内蔵させることが望ましく、本体装着時にも充電できるよう、充電池ユニットにある充電用接栓は内蔵された状態でも、外から接続可能にできる位置に設けることが望ましい。
【００３１】
さらに、乾電池を入れて使用できる乾電池ユニットは、充電池ユニットと全く同形状にして、交換して使用できることが望ましい。
【００３２】
これら電源部の本体への着脱は、フラッシュライトの重量バランスが偏らない本体左右方向の中央にすることができる前方からが望ましい。
【００３３】
ユニットの誤装着・電気結線の誤接続を防ぐには、充電池ユニット・乾電池ユニット同様に下側左右に面取り部を設け、本体のユニット挿入部の形状もそれに対応していることが望ましい。充電池ユニットと乾電池ユニットで異なる電気結線は、ユニットの電気接点位置を変えて対応することが望ましい。
【００３４】
なお、充電池の残量を表示する残量表示機能部は、ランプ直後の電気回路部に設けることが望ましく、表示は、操作者が見える電気回路部の後方で左右中心から外れた位置にすることが望ましい。
【００３５】
前面ガラスと反射鏡が装着された筒状体は、取り外して、径の異なる反射鏡が装着された筒状体や色フィルタや特殊フィルタが装着された筒状体等を用意し、交換して使用できることが望ましい。また、筒状体をねじ込める範囲内に、筒状体の反射鏡と、ランプヘッド部に固定されたランプとの相対位置を調整できるように構成することが望ましい。
【００３６】
使用用途の一つとして、本体上面にレール方式のマウント部を設けて固定して使えることも望ましい。この場合、さらにグリップを着脱できる構造にすることで、グリップが不要な場合は取り外すこともできることが望ましい。
【実施例１】
【００３７】
図１(ａ)は本発明の一実施例であるフラッシュライトの外観図、図１(ｂ)は本発明の一実施例であるフラッシュライトの断面図である。
【００３８】
本体１には、前方に電源部７があり、後方のスイッチ部９にはプッシュレバー１３がある。その本体１下部に張り出すようにランプヘッド部２、その前方に筒状体６がある。ランプヘッド部２の後方、本体１下部にあるのがグリップ１４である。また、本体１上部には汎用の取付け用レールのためのマウント８がある構造である。
【００３９】
図１(ｂ)に示すように、フラッシュライトを点灯させるためのスイッチ１０は、プッシュロッド１２により押され、スプリング１１によりプッシュロッド１２を開放する構造となっている。
【００４０】
プッシュレバー１３は、プッシュロッド１２を押す機構のもので、グリップ１４を握った手の親指で操作できる位置にある。なお、プッシュロッド１２にはＯリング１２’で防水処置している。
【００４１】
プッシュレバー１３を押して、プッシュロッド１２を介してスイッチ１０が入ると、ランプ３が点灯し、反射鏡４により前方に照射される。反射鏡４は、フロントガラス５を有する筒状体６に装着されており、ランプヘッド部２にねじ込まれる。
【００４２】
ランプ３はランプヘッド部２に固定されているため、筒状体６を回して締め込むと、ランプ３と反射鏡４の相対位置を調整することできる構造となっている。
【００４３】
ランプ３の直後のランプヘッド部２内部に電気回路部２ａがあり、そこに残量表示機能部１５がある。これは充電池ユニット７ａの残量が、充電を要する量に減じた場合、点滅で表示するものである。
【００４４】
図２(ａ)、図２(ｂ)、図２(ｃ)はスイッチ構造図、図３はスイッチ部詳細図である。
【００４５】
図２(ａ)に示す状態からプッシュレバー１３を押すと、図２(ｂ)に示す様にプッシュロッド１２を介してスイッチ１０が入りランプ３が点灯する。次に、放せばスプリング１１により、プッシュロッド１２が戻りスイッチ１０が切れ消灯する。この様に押した時だけ点灯する機能なので、合図等の短時間の点灯・間欠的な点灯が可能となる。さらに、プッシュレバー１３を押した状態のまま、下方に下げると、図２(ｃ)及び図３に示すようにプッシュレバー１３の内側にある第一の突起１３ａ，第二の突起１３ｂの内、第一の突起１３ａを支点にして、第二の突起１３ｂが、本体の第一の溝１ａ，第二の溝１ｂの内、第二の溝１ｂにある下方に延びた円弧溝１ｃに嵌り込み、プッシュレバー１３にあるプッシュレバー凸部１３ｃで、プッシュロッド１２を押した状態で保持し、連続点灯を可能にしている。
【００４６】
ここで、プッシュレバーの凹部１３’を設けて指が滑ることがないようにして、これらの操作をグリップ１４を持った手の親指だけで容易に行えるようにしている。また、プッシュレバーの凹部１３’のある位置が本体１後部の左右方向の中央にあり、右利き、左利きどちらでも使用できる。
【００４７】
図４に電源部と本体の構成図を示す。
【００４８】
電源部７である充電池ユニット７ａ及び乾電池ユニット７ｃを、本体１のユニット挿入部２０に前方から差込み、締付ノブ２１で固定する構造で、本発明のフラッシュライトをグリップ１４で持つ場合、左右の重量バランスを均等にすることで、長時間の使用を可能にできる。このことから、左右重量バランスの偏りが少ない前方から着脱する構造が最も適当である。
【００４９】
さらに、充電池ユニット７ａと同形状で、市販の乾電池１９を装着できる乾電池ユニット２０でも、全く同様に本体１に装着して使用できるのである。
【００５０】
なお、本体１の充電池ユニット７ａや乾電池ユニット７ｂを差し込む部分にガスケット１’があり、装着して締付ノブ２１で締め付けることにより、確実に防水できる構造になっている。
【００５１】
ここで、充電池ユニット７ａには、充電機能部２２が内蔵されており、本体１に装着した状態でも充電用接栓２２ａは外に出ている構造で、充電池ユニット７ａを本体１に装着した状態でも、充電池ユニット７ａ単体でも充電することができる。
【００５２】
なお、図５の電源部とユニット挿入部の構成図に示すように充電池ユニット７ａも乾電池ユニット７ｂも、前後はもちろん、上下間違えて差し込むことができないよう、充電池ユニット７ａ及び乾電池ユニット７ｂに面取り部７ｃを設け、本体１にはそれに合う形状の面取り部２０ａを設けることで誤装着を防止する構造としている。
【００５３】
図６に電気回路ブロック図を示す。
【００５４】
図１に示すようにランプヘッド部２内には充電池１８のための残量表示機能部１５がある。この残量表示機能部１５は、電圧検出回路，遮断回路及び残量表示部で構成され、電圧検出回路は充電池１８の電圧を監視し一定の電圧以下に降下すると遮断回路を介して放電を停止させ、充電池１８の過放電による破損などを防止している。このとき遮断回路の動作で急な消灯による不便性を防ぐために遮断回路の動作する一定時間前に残量表示部が表示灯を点滅させ、充電池１８の充電が必要であることを表示するのである。これらは充電池ユニット７ａを装着して、プッシュレバー１３を押してスイッチ１０が入った時に動作するものである。
【００５５】
なお、残量表示機能部１５が動作するのは、充電池ユニット７ａを装着した場合だけで、乾電池１９では過放電による障害は発生しないため残量表示機能部１５は乾電池ユニット７ｂ装着時は不要である。
【００５６】
このため、図７の電気接点状態図に示すように、本体１には接点２５，接点２５ａ及び接点２５ｂが配置されており、充電池ユニット７ａを装着した場合は接点２６と接点２５，接点２６ａと接点２５ａが接続され、乾電池ユニット７ｂを装着した場合は、接点２６と接点２５は同じであるが、接点２６ｂが接点２５ｂと接続される。このように充電池ユニット７ａを装着した場合と乾電池ユニット７ｂを装着した場合では、回路が異なるように構成され、充電池ユニット７では残量表示機能１５が機能し、乾電池ユニット７ｂでは残量表示機能１５は機能しない構造となっている。
【実施例２】
【００５７】
本発明の一実施例であるフラッシュライトにおいて、図８にランプヘッド部断面図を示す。筒状体６はランプヘッド部２にねじ込まれる構造で、用途によって例えば図９の筒状体断面図に示すように、赤・黄・青などの色フィルタ５ａを装着した筒状体６ａや、赤外線透過フィルタや限られた波長の光のみを透過させる等の特殊なフィルタ５ｂを装着した筒状体６ｂ、直径が大きい反射鏡４ａを装着した筒状体６ｃ等に交換できる。
【００５８】
これらの筒状体（６・６ａ・６ｂ及び６ｃ）には反射鏡（４または４ａ）が固定されて、またランプ３はランプヘッド部２に固定してあるので、ねじ込まれた筒状体（６・６ａ・６ｂ及び６ｃ）を回して、反射鏡（４または４ａ）と固定されたランプ３との相対位置を変化させることができ、ランプ照射光のビーム角を集中または拡散に調整することができる。
【００５９】
また、防水のためのＯリング２’はランプヘッド部２にあり、筒状体６の交換時に発生するＯリングの紛失・脱落等を防ぎ、筒状体６の構造の簡素化を図る。
【実施例３】
【００６０】
本発明の一実施例であるフラッシュライトにおいて、図１０のマウント部構成図に示すように、本体１上部には汎用の取り付けレールのためのマウント部８を設け、取り付けレール２３を挟むように、マウント部８とマウント（着脱部）１６をマウント部取付けねじ１７で固定して取り付ける構造とし、容易に着脱可能にしてある。
【実施例４】
【００６１】
本発明の一実施例であるフラッシュライトにおいて、図１１のグリップ部構成図に示すように、グリップ１４は、別の形状のグリップ１４ａと交換したり、不要であれば、本体１から取外すことも可能な構造である。使用する用途や使い勝手により、事前にグリップ１４または別形状のグリップ１４ａを選択し、グリップ取付けねじ２４で容易に取付けることができる。
【産業上の利用可能性】
【００６２】
本発明によれば、直感的に手を向けた方向に光を照射させることが容易にできるフラッシュライトであり、体の前で通常構える形から、凝視する場合などで目に近付けて持つ形まで、手に無理なく連続的に行える等、使い勝手のよいフラッシュライトとして利用が期待される。
【図面の簡単な説明】
【００６３】
【図１（ａ）】フラッシュライトの外観図
【図１（ｂ）】フラッシュライトの断面図
【図２（ａ）】フラッシュライトのスイッチ部構造図（消灯時）
【図２（ｂ）】フラッシュライトのスイッチ部構造図（点灯時）
【図２（ｃ）】フラッシュライトのスイッチ部構造図（連続点灯時）
【図３】フラッシュライトのスイッチ部詳細図
【図４】フラッシュライトの電源部と本体の構成図
【図５】フラッシュライトの電源部とユニット挿入部の構成図
【図６】フラッシュライトの電気回路ブロック図
【図７】フラッシュライトの電気接点状態図
【図８】フラッシュライトのランプヘッド部断面図
【図９】フラッシュライトの筒状体断面図
【図１０】フラッシュライトのマウント部構成図
【図１１】フラッシュライトのグリップ部構成図
【符号の説明】
【００６４】
１  ：  本体
１’：  ガスケット
１ａ：  第一の溝
１ｂ：  第二の溝
１ｃ：  円弧溝
２  ：  ランプヘッド部
２ａ：  電気回路部
２’：  Ｏリング（ランプヘッド部）
３  ：  ランプ
４  ：  反射鏡
４ａ：  反射鏡（大型径）
５  ：  フロントガラス
５ａ：  色フィルタ
５ｂ：  特殊フィルタ
５ｃ：  フロントガラス（大型径）
６  ：  筒状体
６ａ：  筒状体（色フィルタ付）
６ｂ：  筒状体（特殊フィルタ付）
６ｃ：  筒状体（大型径）
７  ：  電源部
７ａ：  充電池ユニット
７ｂ：  乾電池ユニット
７ｃ：  面取り部（電源部）
８  ：  マウント部
９  ：  スイッチ部
１０  ：  スイッチ
１１  ：  スプリング
１２  ：  プッシュロッド
１２’：  Ｏリング（プッシュロッド）
１３  ：  プッシュレバー
１３’：  プッシュレバー凹部
１３ａ：  第一の突起
１３ｂ：  第二の突起
１３ｃ：  プッシュレバー凸部
１４  ：  グリップ
１４ａ：  別形状のグリップ
１５  ：  残量表示機能部
１６  ：  マウント（着脱部）
１７  ：  マウント部取付けねじ
１８  ：  充電池
１９  ：  乾電池
２０  ：  挿入部
２０ａ：  面取り部（本体）
２１  ：  締付ノブ
２２  ：  充電機能部
２２ａ：  充電用接栓
２３  ：  マウント用レール（他機器）
２４  ：  グリップ取付けねじ
２５  ：  接点（本体側）
２５ａ：  接点（本体側）
２５ｂ：  接点（本体側）
２６  ：  接点（ユニット側）
２６ａ：  接点（ユニット側）
２６ｂ：  接点（ユニット側）
【図１（ａ）】
2009146671.tif 000003
【図１（ｂ）】
2009146671.tif 000004
【図２（ａ）】
2009146671.tif 000005
【図２（ｂ）】
2009146671.tif 000006
【図２（ｃ）】
2009146671.tif 000007
【図３】
2009146671.tif 000008
【図４】
2009146671.tif 000009
【図５】
2009146671.tif 000010
【図６】
2009146671.tif 000011
【図７】
2009146671.tif 000012
【図８】
2009146671.tif 000013
【図９】
2009146671.tif 000014
【図１０】
2009146671.tif 000015
【図１１】
2009146671.tif 000016